(57)【要約】【課題】  無線ネットワークを構成する機器の負荷を増やさずに、効率的にネットワーク管理を行う。【解決手段】  複数の子機３１および中継機３２と、ゲートウェイ３５を介してインターネット３６に接続された親機３３とを含む無線ネットワークと、インターネット３６に接続されたネットワーク管理システム３４とから構成される無線ネットワークの通信管理方式であって、子機３１および中継機３２と親機３３とは、標準ＭＩＢおよび拡張ＭＩＢと、ＭＩＢにアクセスするためのアクセスメソッドと、無線アクセスのための無線データリンクとを有し、ネットワーク管理システム３４は、ＳＮＭＰを用いてＭＩＢの情報を収集し、ゲートウェイ３５は、ＳＮＭＰの情報取得要求を転送するときに、インデックス値を削除し、ＳＮＭＰの情報取得応答を転送するときに、インデックス値を付加する。【選択図】  図３
2005130210.tif 000002
【特許請求の範囲】
【請求項１】
複数の子機および中継機と、ゲートウェイを介してインターネットに接続された親機とを含む無線ネットワークと、前記インターネットに接続されたネットワーク管理システムとから構成される無線ネットワークの通信管理方式であって、
前記子機および中継機と前記親機とは、標準ＭＩＢおよび拡張ＭＩＢと、前記ＭＩＢにアクセスするためのアクセスメソッドと、無線アクセスのための無線データリンクとを有し、
前記ネットワーク管理システムは、ＳＮＭＰを用いて前記ＭＩＢの情報を収集し、
前記ゲートウェイは、ＳＮＭＰの情報取得要求を転送するときに、インデックス値を削除し、ＳＮＭＰの情報取得応答を転送するときに、インデックス値を付加することを特徴とする無線ネットワークの通信管理方式。
【請求項２】
前記親機は、
前記ゲートウェイから前記情報取得要求が転送されたときに、同期信号であるビーコン信号を前記複数の子機および中継機に送信し、
前記ビーコン信号に同期して前記複数の子機および中継機から送信された優先度情報を受信し、
前記優先度情報に従って、前記ＭＩＢの情報を収集し、前記ゲートウェイを介して前記ネットワーク管理システムに送信することを特徴とする請求項１に記載の無線ネットワークの通信管理方式。
【請求項３】
前記拡張ＭＩＢは、時系列に格納されたログ情報を有し、
前記ネットワーク管理システムは、管理に必要な前記ＭＩＢの情報のみを収集することを特徴とする請求項１または２に記載の無線ネットワークの通信管理方式。
【請求項４】
前記拡張ＭＩＢは、イベント駆動方式におけるトラップ条件を有し、
前記ネットワーク管理システムは、前記トラップ条件に応じて、必要なイベントの前記ＭＩＢの情報を収集することを特徴とする請求項１または２に記載の無線ネットワークの通信管理方式。
【請求項５】
前記子機は、子機を一意に特定するための識別情報を格納し、
前記ネットワーク管理システムは、前記識別情報を用いて子機を特定し、前記ＭＩＢに設定する情報を送信することを特徴とする請求項１ないし４のいずれかに記載の無線ネットワークの通信管理方式。
【発明の詳細な説明】
【技術分野】
【０００１】
本発明は、無線ネットワークの通信管理方式に関し、より詳細には、ＳＮＭＰとＭＩＢとを用いて、インターネットにおけるネットワーク管理システムと統合された無線ネットワークの通信管理方式に関する。
【背景技術】
【０００２】
従来、インターネットにおけるネットワーク管理システムは、ＳＮＭＰ（Simple Network Management Protocol）とＭＩＢ（Management Information Base）とを用いて管理する方法が知られている。ＳＮＭＰは、ネットワーク管理システムを構成するためのプロトコルであり、ＭＩＢは、管理マネージャが管理情報を効率的に検索、設定できるように、ツリー状に構成された管理情報のデータベースであり、いずれもＩＥＴＦ（Internet Engineering Task Force）標準に規定されている。
【０００３】
図１に、従来のＳＮＭＰによるネットワーク管理システムのプロトコルスタックを示す。ネットワーク上に１または複数の制御機器（ＳＮＭＰマネージャともいう）１１と、複数の管理対象である被制御機器（ＳＮＭＰエージェントともいう）１２とを配置し、それぞれに共通のＭＩＢ１３ａ，１３ｂを実装する。制御機器１１は、ＳＮＭＰを用いて被制御機器１２に情報取得要求を送出し、被制御機器１２からの情報取得応答を収集して、構成管理、性能管理、障害管理などのネットワーク管理を行う。
【０００４】
一方、無線ネットワークにおけるネットワーク管理システムは、従来のＰＳＴＮ（Public Switched Telephone Network）と同様に、親機が接続されている有線ネットワークを介して管理する。図２に、従来の無線ネットワークにおけるネットワーク管理システムの構成を示す。子機２１ａ〜２１ｄは、直接または中継機２２を介して、無線により親機２３と接続される。親機２３は、有線により無線ネットワーク管理システム２４と接続されている。無線ネットワーク管理システム２４が子機情報を収集する場合に、親機２３から情報取得要求を順次子機２１ａ〜２１ｄに送信し、子機２１ａ〜２１ｄから情報取得応答を収集する方式（以下、ポーリング方式という）と、子機２１ａ〜２１ｄがイベントを検出したときに、自発的に送信した子機情報を収集する方式（以下、イベント駆動方式という）とが知られている。
【０００５】
近年、無線ネットワークにおけるパケット通信、無線ＬＡＮの普及などにより、無線ネットワークにおいても、ＳＮＭＰによってネットワーク管理システムを構成することが知られている（例えば、特許文献１，２参照）。
【０００６】
【特許文献１】特開２００１−２３１０７０号公報
【特許文献２】特開２００３−６０６４７号公報
【発明の開示】
【発明が解決しようとする課題】
【０００７】
しかしながら、高速のＣＤＭＡ（Code Division Multiple Access）無線システム、低速の特定小電力無線システム、飛距離の短い微弱無線システムなどの子機においては、通信速度、通信容量を確保するために、体系的で豊富な子機情報を有していなかった。従って、無線ネットワークの管理機能が不十分であるという問題があった。特に、イベント駆動方式では、イベントが発生しない限り、子機情報を収集できないので、管理情報が不足するという問題もあった。
【０００８】
本発明は、このような問題に鑑みてなされたもので、その目的とするところは、無線ネットワークを構成する機器の負荷を増やさずに、効率的にネットワーク管理を行うための無線ネットワークの通信管理方式を提供することにある。
【課題を解決するための手段】
【０００９】
本発明は、このような目的を達成するために、請求項１に記載の発明は、複数の子機および中継機と、ゲートウェイを介してインターネットに接続された親機とを含む無線ネットワークと、前記インターネットに接続されたネットワーク管理システムとから構成される無線ネットワークの通信管理方式であって、前記子機および中継機と前記親機とは、標準ＭＩＢおよび拡張ＭＩＢと、前記ＭＩＢにアクセスするためのアクセスメソッドと、無線アクセスのための無線データリンクとを有し、前記ネットワーク管理システムは、ＳＮＭＰを用いて前記ＭＩＢの情報を収集し、前記ゲートウェイは、ＳＮＭＰの情報取得要求を転送するときに、インデックス値を削除し、ＳＮＭＰの情報取得応答を転送するときに、インデックス値を付加することを特徴とする。
【００１０】
請求項２に記載の発明は、請求項１に記載の前記親機は、前記ゲートウェイから前記情報取得要求が転送されたときに、同期信号であるビーコン信号を前記複数の子機および中継機に送信し、前記ビーコン信号に同期して前記複数の子機および中継機から送信された優先度情報を受信し、前記優先度情報に従って、前記ＭＩＢの情報を収集し、前記ゲートウェイを介して前記ネットワーク管理システムに送信することを特徴とする。
【００１１】
請求項３に記載の発明は、請求項１または２に記載の無線ネットワークの通信管理方式において、前記拡張ＭＩＢは、時系列に格納されたログ情報を有し、前記ネットワーク管理システムは、管理に必要な前記ＭＩＢの情報のみを収集することを特徴とする。
【００１２】
請求項４に記載の発明は、請求項１または２に記載の無線ネットワークの通信管理方式において、前記拡張ＭＩＢは、イベント駆動方式におけるトラップ条件を有し、前記ネットワーク管理システムは、前記トラップ条件に応じて、必要なイベントの前記ＭＩＢの情報を収集することを特徴とする。
【００１３】
請求項５に記載の発明は、請求項１ないし４のいずれかに記載の無線ネットワークの通信管理方式において、前記子機は、子機を一意に特定するための識別情報を格納し、前記ネットワーク管理システムは、前記識別情報を用いて子機を特定し、前記ＭＩＢに設定する情報を送信することを特徴とする。
【発明の効果】
【００１４】
以上説明したように、本発明によれば、子機、中継機および親機におけるプロトコルスタックを単純化し、ゲートウェイにおける変換処理を単純化することにより、ＭＩＢ情報のやり取りを簡易化することができ、無線ネットワークを構成する機器の負荷を増やさずに、効率的にネットワーク管理を行うことが可能となる。
【００１５】
また、本発明によれば、親機は、ＭＩＢ情報のやり取りに先立って、優先度情報を収集するので、管理に必要な情報のみを、優先順位に従って収集することができ、体系的で豊富な子機情報を効率的に利用することが可能となる。
【発明を実施するための最良の形態】
【００１６】
以下、図面を参照しながら本発明の実施形態について詳細に説明する。  
図３は、本発明の一実施形態にかかるネットワーク管理システムの構成を示す。子機３１ａ〜３１ｄは、直接または中継機３２を介して、無線により親機３３と接続される。親機３３は、ゲートウェイ３５とＬＡＮまたはインターネット３６を介して統合ネットワーク管理システム３４に接続されている。ＬＡＮまたはインターネット３６には、他のネットワーク端末３７ａ，３７ｂが接続されている。このような構成により、統合ネットワーク管理システム３４は、ＬＡＮまたはインターネット３６上のネットワーク端末３７ａ，３７ｂの管理と、無線ネットワークにおける親機３３、子機３１ａ〜３１ｄおよび中継機３２の管理とを統合的に行う。
【００１７】
図４に、本発明の一実施形態にかかるネットワーク管理システムのプロトコルスタックを示す。統合ネットワーク管理システム３４と、親機３３と、子機３１ａ〜３１ｄおよび中継機３２とは、ＭＩＢ４１ａ〜４１ｃが実装されている。ＭＩＢ４１ａ〜４１ｃは、ＩＥＴＦ標準のＭＩＢII（以下、標準ＭＩＢという）と企業拡張ＭＩＢ（以下、拡張ＭＩＢという）とを有している。ポーリング方式またはイベント駆動方式のいずれであっても、共通にＭＩＢ４１ａ〜４１ｃを使用することができる。
【００１８】
企業拡張ＭＩＢには、子機情報のみならず、ステータス情報、ログ情報、イベント駆動方式のトラップ条件などを格納する。例えば、一定時間ごとのステータス情報、時系列の障害情報などをログ情報として子機３１ａ〜３１ｄおよび中継機３２に分散保存しておけば、統合ネットワーク管理システム３４は、適宜ログ情報を収集することにより、きめ細かな管理を行うことができる。この方式によれば、統合ネットワーク管理システム３４は、膨大なログ情報を格納する必要が無く、統合ネットワーク管理システム３４の代わりに、ＬＡＮまたはインターネット３６に接続された汎用コンピュータによってログ情報の解析も行うことができる。さらに、イベント駆動方式の場合には、トラップ条件を設定することができ、目的に応じて必要なイベントのみを収集することができ、イベントパケットにＭＩＢ情報を含ませることにより、豊富な管理情報を取得することができる。
【００１９】
親機３３と、子機３１ａ〜３１ｄおよび中継機３２のプロトコルスタックは、無線データリンク４２ａ，４２ｂとＭＩＢアクセスメソッド４３ａ，４３ｂとから構成されている。このような構成により、無線ネットワークとＬＡＮまたはインターネット３６とにおける管理情報を統合して、管理情報のやり取りの負荷を軽減する。また、親機３３と、子機３１ａ〜３１ｄおよび中継機３２のプロトコルスタックを単純化して、ＭＩＢ情報のやり取りを簡易化することにより、子機３１ａ〜３１ｄおよび中継機３２の負荷を軽減する。
【００２０】
図５に、ＭＩＢへアクセスするためのゲートウェイにおける変換処理を示す。ＬＡＮまたはインターネット３６側、すなわち統合ネットワーク管理システム３４のＭＩＢ４１ａは、ＩＥＴＦ標準のＭＩＢII５１と企業拡張ＭＩＢ５２とを有し、それぞれＳＮＭＰからアクセスするためのインデックス値とを有している。一方、無線ネットワーク側、すなわちＭＩＢ４１ｂ，４１ｃにも、ＭＩＢII５３と企業拡張ＭＩＢ５４とを実装しているが、インデックス値は有さない。
【００２１】
そこで、ゲートウェイ３５は、ＬＡＮまたはインターネット３６側から無線ネットワーク側に、ＳＮＭＰの情報取得要求を転送するときに、インデックス値を削除してＭＩＢ４１ｂ，４１ｃを検索させる。一方、ＭＩＢ４１ｂ，４１ｃから抽出された情報は、ゲートウェイ３５において、インデックス値が付加され、ＳＮＭＰの情報取得応答として返送される。このようにして、ゲートウェイ３５における管理情報のやり取りの負荷を軽減する。
【００２２】
図６は、本発明の一実施形態にかかる管理情報の収集方法を示すフローチャートであり、図７はタイムチャートである。最初に、親機３３にモード設定を行う（Ｓ６０１）。送信する情報を有する子機３１から優先的に子機情報を収集するポーリングモード、常時１秒ごとに子機３１から親機３３へ子機情報を送信するリアルタイムモード、およびイベント発生時のみ子機３１から親機３３へ子機情報を送信するイベントモードの３種類がある。
【００２３】
ゲートウェイ３５を経由して情報取得要求を受信した親機３３は、ビーコン信号７１を全子機に送信する（Ｓ６０２）。ビーコン信号７１は、ブリアンブル信号とスタート信号とから構成されている。図７に示したように、ビーコン信号に同期して、第１子機から第Ｎ子機まで順に優先度情報が送信され、親機３３にて受信する（Ｓ６０３）。優先度情報は、子機情報の有無と子機情報の優先度のみを含む情報であり、親機３３は、短時間で優先度情報を収集することができる。
【００２４】
親機３３は、子機情報の有無および優先度に従って、子機情報を抽出する子機を判定する（Ｓ６０４）。親機３３は、優先度の高い子機から順に子機情報を収集して（Ｓ６０５）、統合ネットワーク管理システム３４に転送する（Ｓ６０６）。このようにして、管理に必要な情報のみを、優先順位に従って収集するので、体系的で豊富な子機情報を効率的に利用することができる。
【００２５】
図８に、本発明の一実施形態にかかる子機情報の設定方法を示す。最初に、ネットワーク管理者により設定する子機情報を作成する（Ｓ８０１）。作成は、統合ネットワーク管理システム３４で行ってもよいし、ＬＡＮまたはインターネット３６に接続された汎用コンピュータによって行ってもよい。作成された子機情報は、ＬＡＮまたはインターネット３６を経由して親機３３に送信する（Ｓ８０２）。子機には、子機を一意に特定するための識別情報として、例えば子機番号が、子機に内蔵されたＲＯＭまたはディップスイッチに設定されている。作成された子機情報にも、この子機番号が含まれ、子機情報を設定する子機を特定する。
【００２６】
親機３３から配下の子機に対して子機情報が送信され（Ｓ８０３）、子機３１は、子機情報に含まれる子機番号を参照して、自身の子機情報を取り込む（Ｓ８０４）。子機障害時には、代替子機への交換と子機番号の設定により、遠隔から子機情報を設定することができるので、迅速な対応ができる。
【００２７】
なお、親機３３から送信する子機情報に、ＭＩＢ情報出力モードを設定することができる。ＭＩＢ情報出力モードがイネーブルの場合には、親機３３は、設定された子機情報を統合ネットワーク管理システム３４にも送信する。このようにして、汎用コンピュータから子機情報を設定した場合であっても、統合ネットワーク管理システム３４に反映することができるので、汎用コンピュータを利用したネットワーク管理を行うことができる。
【００２８】
図９に、管理情報の収集に使用するパケットのフォーマットを示す。ＭＩＢ情報のやり取りをするために、専用のパケットを用いずに、既存のパケットにＭＩＢ情報を挿入する。データの内容としては、親機３３から子機３１に送信する情報取得要求（指示情報）、子機３１から親機３３に送信する情報取得応答（ＡＣＫ＋ＭＩＢ情報）、子機３１から親機３３に送信するイベントパケット（子機情報＋ＭＩＢ情報）、親機３３から子機３１に送信する確認パケット（ＡＣＫ＋時刻情報）などである。
【図面の簡単な説明】
【００２９】
【図１】従来のＳＮＭＰによるネットワーク管理システムのプロトコルスタックを示す図である。
【図２】従来の無線ネットワークにおけるネットワーク管理システムを示す構成図である。
【図３】本発明の一実施形態にかかるネットワーク管理システムを示す構成図である。
【図４】本発明の一実施形態にかかるネットワーク管理システムのプロトコルスタックを示す図である。
【図５】ＭＩＢへアクセスするためのゲートウェイにおける変換処理を説明するための図である。
【図６】本発明の一実施形態にかかる管理情報の収集方法を示すフローチャートである。
【図７】本発明の一実施形態にかかる管理情報の収集方法を示すタイムチャートである。
【図８】本発明の一実施形態にかかる子機情報の設定方法を示すフローチャートである。
【図９】管理情報の収集に使用するパケットのフォーマットを表す図である。
【符号の説明】
【００３０】
２１ａ〜２１ｄ，３１ａ〜３１ｄ    子機
２２，３２    中継機
２３，２３    親機
２４    無線ネットワーク管理システム
３４    統合ネットワーク管理システム
３５    ゲートウェイ
３６    ＬＡＮまたはインターネット
３７ａ，３７ｂ    ネットワーク端末
【図１】
2005130210.tif 000003
【図２】
2005130210.tif 000004
【図３】
2005130210.tif 000005
【図４】
2005130210.tif 000006
【図５】
2005130210.tif 000007
【図６】
2005130210.tif 000008
【図７】
2005130210.tif 000009
【図８】
2005130210.tif 000010
【図９】
2005130210.tif 000011